(57)【要約】【課題】通信品質の劣化の抑制、及び、干渉の抑制の双方を適切に行うことを可能とする。【解決手段】無線端末１Ａにおける制御部１０２は、接続先無線基地局から送信される、上り通信チャネルの電力増加要求を受信する電力増加要求・変調方式受信部２０４と、非接続先無線基地局から送信される、上り通信チャネルの電力減少要求を受信する電力減少要求受信部２０２と、電力増加要求・変調方式要求受信部２０４により電力増加要求が受信され、且つ、電力減少要求受信部２０２により電力減少要求が受信された場合に、上り通信チャネルにおける通信に用いられる送信電力及び変調方式を組み合わせた変調クラスを、設定前よりも低い送信電力を有し、且つ、前記上り通信チャネルの通信品質が所要レベル以上となる変調方式を有する変調クラスに設定する変調クラス設定部２０８とを備える。【選択図】図３
2010109456.tif 000002
【特許請求の範囲】
【請求項１】
無線端末と、
前記無線端末の接続先の無線基地局である接続先無線基地局と、
前記無線端末の接続先以外の無線基地局である非接続先無線基地局と
を含む無線通信システムであって、
前記接続先無線基地局は、
前記接続先無線基地局における上り通信チャネルの通信品質を測定する通信品質測定部と、
前記通信品質測定部により測定された前記通信品質が第１のレベル未満である場合に、前記上り通信チャネルの送信電力の増加を要求するための電力増加要求を前記無線端末へ送信する電力増加要求送信部と
を備え、
前記非接続先無線基地局は、
前記上り通信チャネルにおける通信により、前記非接続先無線基地局における通信チャネルに生じる干渉電力を測定する干渉電力測定部と、
前記干渉電力測定部により測定された前記干渉電力が第２のレベル以上である場合に、前記上り通信チャネルの送信電力の減少を要求するための電力減少要求を前記無線端末へ送信する電力減少要求送信部と
を備え、
前記無線端末は、
前記接続先無線基地局からの前記電力増加要求を受信する電力増加要求受信部と、
前記非接続先無線基地局からの前記電力減少要求を受信する電力減少要求受信部と、
前記電力増加要求受信部により前記電力増加要求が受信され、且つ、前記電力減少要求受信部により前記電力減少要求が受信された場合に、前記上り通信チャネルの送信電力及び変調方式を組み合わせた変調クラスについて、直前の送信電力よりも低い送信電力を設定するとともに、前記上り通信チャネルの通信品質が所要レベル以上となる変調方式を設定する変調クラス設定部と
を備える無線通信システム。
【請求項２】
無線基地局との間で通信を行う無線端末であって、
接続先の無線基地局である接続先無線基地局から送信される、上り通信チャネルの送信電力の増加を要求するための電力増加要求を受信する電力増加要求受信部と、
接続先以外の無線基地局である非接続先無線基地局から送信される、前記上り通信チャネルの送信電力の減少を要求するための電力減少要求を受信する電力減少要求受信部と、
前記電力増加要求受信部により前記電力増加要求が受信され、且つ、前記電力減少要求受信部により前記電力減少要求が受信された場合に、前記上り通信チャネルの送信電力及び変調方式を組み合わせた変調クラスについて、直前の送信電力よりも低い送信電力を設定するとともに、前記上り通信チャネルの通信品質が所要レベル以上となる変調方式を設定する変調クラス設定部と
を備える無線端末。
【請求項３】
前記電力減少要求は、送信電力値を含んでおり、
前記変調クラス設定部は、前記電力減少要求に含まれる前記送信電力値に対応する送信電力を設定する請求項２に記載の無線端末。
【請求項４】
前記電力減少要求受信部は、複数の前記非接続先無線基地局のそれぞれから送信される複数の前記電力減少要求を受信し、
前記変調クラス設定部は、複数の前記電力減少要求に含まれる前記送信電力値の最小値及び平均値の何れかに対応する送信電力を設定する請求項３に記載の無線端末。
【請求項５】
前記接続先無線基地局から送信される、前記上り通信チャネルの変調方式の設定を要求するための変調方式要求を受信する変調方式要求受信部を備え、
前記変調クラス設定部は、前記電力増加要求受信部により受信された前記変調方式要求に対応する変調方式を設定する請求項２乃至４の何れかに記載の無線端末。
【請求項６】
前記変調クラス設定部は、前記変調方式要求に対応する変調方式を有する前記変調クラスでは、前記上り通信チャネルの通信品質が前記所要レベル未満となる場合に、前記変調方式要求に対応する変調方式の設定を中止する請求項５に記載の無線端末。
【請求項７】
前記接続先無線基地局から送信される、再送要求を受信する再送要求受信部を備え、
前記変調クラス設定部は、前記再送要求受信部により前記再送要求が受信された場合に、前記再送要求の対象となる無線信号の送信時にのみ、直前の送信電力よりも高い送信電力を設定する請求項２乃至６の何れかに記載の無線端末。
【請求項８】
無線基地局との間で通信を行う無線端末における通信制御方法であって、
前記無線端末が、接続先の無線基地局である接続先無線基地局から送信される、上り通信チャネルの送信電力の増加を要求するための電力増加要求を受信するステップと、
前記無線端末が、接続先以外の無線基地局である非接続先無線基地局から送信される、前記上り通信チャネルの送信電力の減少を要求するための電力減少要求を受信するステップと、
前記無線端末が、前記電力増加要求及び前記電力減少要求を受信した場合に、前記上り通信チャネルの送信電力及び変調方式を組み合わせた変調クラスについて、直前の送信電力よりも低い送信電力を設定するとともに、前記上り通信チャネルの通信品質が所要レベル以上となる変調方式を設定するステップと
を備える通信制御方法。
【発明の詳細な説明】
【技術分野】
【０００１】
本発明は、無線端末が無線基地局からの要求に応じて送信電力及び変調方式を設定する無線通信システム、当該無線通信システムにおける無線端末、及び、当該無線端末における通信制御方法に関する。
【背景技術】
【０００２】
無線通信システムにおいて、各無線基地局は、当該無線基地局が提供するセル内に在圏する無線端末に対して通信チャネルを割り当てる。無線端末は、この割り当てられた通信チャネルを用いて、在圏するセルを提供する無線基地局に接続し、当該無線基地局との間で通信を行う。
【０００３】
上述した通信において、無線端末の移動によって当該無線端末と無線基地局との距離が長くなると、携帯端末が上り通信チャネルに設定した送信電力が不変の場合、通信品質が劣化する場合がある。
【０００４】
このような通信品質の劣化抑制のために、以下のような対策が採られる場合がある。例えば、３ＧＰＰ（Third Generation Partnership Project）で策定された規格であるＬＴＥ（Long Term Evolution）を採用する無線通信システムでは、無線基地局は、無線端末に割り当てた上り通信チャネルの通信品質を測定し、当該通信品質が所定レベル未満である場合には、無線端末に対して、送信電力の増加を要求する。
【０００５】
また、上述した通信において、無線基地局と無線端末との間の通信チャネルと、他の無線基地局と他の無線端末との間の通信チャネルとが、同一の周波数帯である場合、一方の通信チャネルは他方の通信チャネルの干渉を受けることがある。
【０００６】
このような干渉の抑制のために、無線基地局は、干渉の原因となっている通信チャネルが割り当てられている他の無線端末に対して、送信電力の減少を要求する（例えば、特許文献１参照）。
【特許文献１】特開２００２−２４７６２６号公報
【発明の開示】
【発明が解決しようとする課題】
【０００７】
ところで、上述したような通信品質の劣化の抑制、及び、干渉の抑制の対策が同時に行われる場合、無線端末は、当該無線端末の接続先である無線基地局（以下、接続先無線基地局という）から送信電力の増加の要求を受けるとともに、当該無線端末の接続先でない無線基地局（以下、非接続先無線基地局という）から送信電力の減少の要求を受けることがある。
【０００８】
従来は、このように矛盾する送信電力の増減の要求を受けてしまうと、無線端末は、通信品質の劣化の抑制、及び、干渉の抑制の双方を実現することができないという問題があった。
【０００９】
上記問題点に鑑み、本発明は、通信品質の劣化の抑制、及び、干渉の抑制の双方を適切に行うことが可能な無線通信システム、無線端末及び通信制御方法を提供することを目的とする。
【課題を解決するための手段】
【００１０】
上述した課題を解決するために、本発明は以下のような特徴を有している。まず、本発明の第１の側面は、無線端末（無線端末１Ａ、無線端末１Ｂ、無線端末１Ｃ）と、前記無線端末の接続先の無線基地局である接続先無線基地局（無線端末１Ａに対する無線基地局２Ａ、無線端末１Ｂに対する無線基地局２Ｂ、無線端末１Ｃに対する無線基地局２Ｃ）と、前記無線端末の接続先以外の無線基地局である非接続先無線基地局（無線端末１Ａに対する無線基地局２Ｂ及び無線基地局２Ｃ、無線端末１Ｂに対する無線基地局２Ｂ及び無線基地局２Ｃ、無線端末１Ｃに対する無線基地局２Ａ及び無線基地局２Ｂ）とを含む無線通信システム（無線通信システム１０）であって、前記接続先無線基地局は、前記接続先無線基地局における上り通信チャネルの通信品質を測定する通信品質測定部（ＣＱＩ測定部２５２及びＣＲＣチェック部２５８）と、前記通信品質測定部により測定された前記通信品質が第１のレベル未満である場合に、前記上り通信チャネルの送信電力の増加を要求するための電力増加要求を前記無線端末へ送信する電力増加要求送信部（送信電力・変調方式設定部２６０及びメッセージ送信部２６２）とを備え、前記非接続先無線基地局は、前記上り通信チャネルにおける通信により、前記非接続先無線基地局における通信チャネルに生じる干渉電力を測定する干渉電力測定部（干渉電力測定部２７２）と、前記干渉電力測定部により測定された前記干渉電力が第２のレベル以上である場合に、前記上り通信チャネルの送信電力の減少を要求するための電力減少要求を前記無線端末へ送信する電力減少要求送信部（送信電力設定部２７４及びメッセージ送信部２７６）とを備え、前記無線端末は、前記接続先無線基地局からの前記電力増加要求を受信する電力増加要求受信部と、前記非接続先無線基地局からの前記電力減少要求を受信する電力減少要求受信部（電力減少要求受信部２０２）と、前記電力増加要求受信部により前記電力増加要求が受信され、且つ、前記電力減少要求受信部により前記電力減少要求が受信された場合に、前記上り通信チャネルの送信電力及び変調方式を組み合わせた変調クラスについて、直前の送信電力よりも低い送信電力を設定するとともに、前記上り通信チャネルの通信品質が所要レベル以上となる変調方式を設定する変調クラス設定部（変調クラス設定部２０８）とを備えることを要旨とする。
【００１１】
このような無線通信システムによれば、無線端末は、非接続先無線基地局による送信電力の減少要求に応じて、上り通信チャネルの送信電力を低くする。したがって、非接続先無線基地局における通信チャネルに生じる干渉電力が抑制される。
【００１２】
但し、上り通信チャネルの送信電力が低くなると、接続先無線基地局による送信電力の増加要求に反し、上り通信チャネルの通信品質が劣化してしまう。このため、無線端末は、上り通信チャネルの変調方式を、当該上り通信チャネルの通信品質が所要レベル以上となる変調方式に設定する。したがって、非接続先無線基地局における通信チャネルに生じる干渉電力が抑制されるとともに、接続先無線基地局における上り通信チャネルの通信品質の劣化が抑制される。
【００１３】
本発明の第２の側面は、無線基地局との間で通信を行う無線端末であって、接続先の無線基地局である接続先無線基地局から送信される、上り通信チャネルの送信電力の増加を要求するための電力増加要求を受信する電力増加要求受信部と、接続先以外の無線基地局である非接続先無線基地局から送信される、前記上り通信チャネルの送信電力の減少を要求するための電力減少要求を受信する電力減少要求受信部と、前記電力増加要求受信部により前記電力増加要求が受信され、且つ、前記電力減少要求受信部により前記電力減少要求が受信された場合に、前記上り通信チャネルの送信電力及び変調方式を組み合わせた変調クラスについて、直前の送信電力よりも低い送信電力を設定するとともに、前記上り通信チャネルの通信品質が所要レベル以上となる変調方式を設定する変調クラス設定部とを備えることを要旨とする。
【００１４】
このような無線端末によれば、上述と同様、無線端末は、非接続先無線基地局による送信電力の減少要求に応じて、上り通信チャネルの送信電力を低くする。一方、無線端末は、上り通信チャネルの変調方式を、当該上り通信チャネルの通信品質が所要レベル以上となる変調方式に設定する。したがって、非接続先無線基地局における通信チャネルに生じる干渉電力が抑制されるとともに、接続先無線基地局における上り通信チャネルの通信品質の劣化が抑制される。
【００１５】
本発明の第３の側面は、前記電力減少要求は、送信電力値を含んでおり、前記変調クラス設定部は、前記電力減少要求に含まれる前記送信電力値に対応する送信電力を設定することを要旨とする。
【００１６】
本発明の第４の側面は、前記電力減少要求受信部は、複数の前記非接続先無線基地局のそれぞれから送信される複数の前記電力減少要求を受信し、前記変調クラス設定部は、複数の前記電力減少要求に含まれる前記送信電力値の最小値及び平均値の何れかに対応する送信電力を設定することを要旨とする。
【００１７】
本発明の第５の側面は、前記接続先無線基地局から送信される、前記上り通信チャネルの変調方式の設定を要求するための変調方式要求を受信する変調方式要求受信部（電力増加要求・変調方式要求受信部２０４）を備え、前記変調クラス設定部は、前記電力増加要求受信部により受信された前記変調方式要求に対応する変調方式を設定することを要旨とする。
【００１８】
本発明の第６の側面は、前記変調クラス設定部は、前記変調方式要求に対応する変調方式を有する前記変調クラスでは、前記上り通信チャネルの通信品質が前記所要レベル未満となる場合に、前記変調方式要求に対応する変調方式の設定を中止することを要旨とする。
【００１９】
このような無線端末によれば、接続先無線基地局が要求する変調方式では、上り通信チャネルの通信品質が所要レベル未満となるような場合には、当該上り通信チャネルの通信品質の劣化を抑制することができなくなるため、無線端末は、接続先無線基地局が要求する変調方式を設定することを中止することで、適切に上り通信チャネルの通信品質の劣化を抑制することが可能となる。
【００２０】
本発明の第７の側面は、前記接続先無線基地局から送信される、再送要求を受信する再送要求受信部（電力増加要求・変調方式要求受信部２０４）を備え、前記変調クラス設定部は、前記再送要求受信部により前記再送要求が受信された場合に、前記再送要求の対象となる無線信号の送信時にのみ、直前の送信電力よりも高い送信電力を設定することを要旨とする。
【００２１】
本発明の第８の側面は、無線基地局との間で通信を行う無線端末における通信制御方法であって、前記無線端末が、接続先の無線基地局である接続先無線基地局から送信される、上り通信チャネルの送信電力の増加を要求するための電力増加要求を受信するステップと、前記無線端末が、接続先以外の無線基地局である非接続先無線基地局から送信される、前記上り通信チャネルの送信電力の減少を要求するための電力減少要求を受信するステップと、前記無線端末が、前記電力増加要求及び前記電力減少要求を受信した場合に、前記上り通信チャネルの送信電力及び変調方式を組み合わせた変調クラスについて、直前の送信電力よりも低い送信電力を設定するとともに、前記上り通信チャネルの通信品質が所要レベル以上となる変調方式を設定するステップとを備えることを要旨とする。
【発明の効果】
【００２２】
本発明によれば、無線端末が、非接続先無線基地局による送信電力の減少要求に応じて、上り通信チャネルの送信電力を低くし、上り通信チャネルの変調方式を、当該上り通信チャネルの通信品質が所要レベル以上となる変調方式に設定することで、非接続先無線基地局における通信チャネルに生じる干渉電力が抑制されるとともに、接続先無線基地局における上り通信チャネルの通信品質の劣化が抑制される。
【発明を実施するための最良の形態】
【００２３】
次に、図面を参照して、本発明の実施形態を説明する。具体的には、（１）無線通信システムの構成、（２）無線通信システムの動作、（３）作用・効果、（４）その他の実施形態について説明する。以下の実施形態における図面の記載において、同一又は類似の部分には同一又は類似の符号を付している。
【００２４】
（１）無線通信システムの構成
まず、本発明の実施形態に係る無線通信システムの構成について、（１．１）無線通信システムの全体概略構成、（１．２）無線端末の構成、（１．３）無線基地局の構成の順に説明する。
【００２５】
（１．１）無線通信システムの全体概略構成
図１は、本発明の実施形態に係る無線通信システム１０の全体概略構成図である。
【００２６】
図１に示すように、無線通信システム１０は、無線端末１Ａ、無線端末１Ｂ及び無線端末１Ｃと、無線基地局２Ａ、無線基地局２Ｂ及び無線基地局２Ｃとを含む。無線通信システム１０は、３ＧＰＰで策定された規格であるＬＴＥに基づく構成を有する。図１において、無線端末１Ａは、無線基地局２Ａが提供するセル３Ａに在圏している。また、無線端末１Ｂは、無線基地局２Ｂが提供するセル３Ｂに在圏し、無線端末１Ｃは、無線基地局２Ｃが提供するセル３Ｃに在圏している。
【００２７】
無線端末１Ａ、無線端末１Ｂ及び無線端末１Ｃは、それぞれ電源投入時やハンドオーバ時において、無線基地局２Ａ〜２Ｃが送信する参照信号やパイロット信号の通信品質（受信ＳＮＲ、受信ＲＳＳＩ、受信ＦＥＲ等）を比較して、最も通信品質が高い参照信号等の送信元の無線基地局に位置登録要求を送信する。無線基地局は、無線端末からの位置登録要求を受信すると、当該無線端末の位置登録を行うとともに、当該無線端末に対して通信チャネルを割り当てる。これにより、無線端末と無線基地局との間の通信が可能となる。
【００２８】
図１の例では、無線端末１Ａは、セル３Ａに在圏している。このため、無線端末１Ａにおいては、通常、無線基地局２Ａからの参照信号等の通信品質が最も高くなる。この場合、無線端末１Ａは、無線基地局２Ａに対して位置登録要求を送信する。無線基地局２Ａは、無線端末１Ａからの位置登録要求を受信すると、当該無線端末１Ａの位置登録を行うとともに、当該無線端末１Ａに対して通信チャネルを割り当てる。
【００２９】
このような処理によって、無線端末１Ａは、無線基地局２Ａに接続する。したがって、無線基地局２Ａは、無線端末１Ａに対して接続先無線基地局となり、無線基地局２Ｂ及び無線基地局２Ｃは、無線端末１Ａに対して非接続先無線基地局となる。
【００３０】
また、無線端末１Ｂは、セル３Ｂに在圏している。このため、無線端末１Ｂにおいては、通常、無線基地局２Ｂからの参照信号等の通信品質が最も高くなる。この場合、無線端末１Ｂは、無線基地局２Ｂに対して位置登録要求を送信する。無線基地局２Ｂは、無線端末１Ｂからの位置登録要求を受信すると、当該無線端末１Ｂの位置登録を行うとともに、当該無線端末１Ｂに対して通信チャネルを割り当てる。
【００３１】
このような処理によって、無線端末１Ｂは、無線基地局２Ｂに接続する。したがって、無線基地局２Ｂは、無線端末１Ｂに対して接続先無線基地局となり、無線基地局２Ａ及び無線基地局２Ｃは、無線端末１Ｂに対して非接続先無線基地局となる。
【００３２】
また、無線端末１Ｃは、セル３Ｃに在圏している。この場合、無線端末１Ｃにおいては、通常、無線基地局２Ｃからの参照信号等の通信品質が最も高くなる。このため、無線端末１Ｃは、無線基地局２Ｃに対して位置登録要求を送信する。無線基地局２Ｃは、無線端末１Ｃからの位置登録要求を受信すると、当該無線端末１Ｃの位置登録を行うとともに、当該無線端末１Ｃに対して通信チャネルを割り当てる。
【００３３】
このような処理によって、無線端末１Ｃは、無線基地局２Ｃに接続する。  したがって、無線基地局２Ｃは、無線端末１Ｃに対して接続先無線基地局となり、無線基地局２Ａ及び無線基地局２Ｂは、無線端末１Ｃに対して非接続先無線基地局となる。
【００３４】
その後、無線端末１Ａ〜１Ｃと無線基地局２Ａ〜２Ｃとの間で通信が行われる。図１の例では、無線端末１Ａは、上り通信チャネルを用いて、無線基地局２Ａへデータを送信する。一方、無線基地局２Ａは、下り通信チャネルを用いて、無線端末１Ａへデータを送信する。同様にして、無線端末１Ｂと無線基地局２Ｂとの間の通信や、無線端末１Ｃと無線基地局２Ｃとの間の通信が行われる。
【００３５】
（１．２）無線端末の構成
次に、無線端末１Ａ〜１Ｃの構成について、（１．２．１）無線端末の概略構成、（１．２．２）無線端末の詳細構成の順に説明する。
【００３６】
但し、無線端末１Ｂ及び無線端末１Ｃの概略構成は、無線端末１Ａと同様であるため、無線端末１Ｂ及び無線端末１Ｃの概略構成及び詳細構成についての説明は省略する。
【００３７】
（１．２．１）無線端末の概略構成
図２は、無線端末１Ａの概略構成図である。図２に示すように、無線端末１Ａは、制御部１０２、記憶部１０３、アンテナ１０４、無線通信部１０６、モニタ１０８、マイク１１０、スピーカ１１２及び操作部１１４を含む。
【００３８】
制御部１０２は、例えばＣＰＵによって構成され、無線端末１Ａが具備する各種機能を制御する。記憶部１０３は、例えばメモリによって構成され、無線端末１Ａにおける制御などに用いられる各種情報を記憶する。
【００３９】
無線通信部１０６は、ＲＦ回路、ベースバンド回路等を含み、変調及び復調、符号化及び復号等を行い、アンテナ１０４を介して無線信号の送受信を行う。また、無線通信部１０６は、アンテナ１０４を介して、無線基地局２Ａ〜２Ｃが送信する参照信号等を周期的に受信する。
【００４０】
モニタ１０８は、制御部１０２を介して受信した画像を表示したり、操作内容（入力電話番号やアドレスなど）を表示したりする。マイク１１０は、音声を集音し、集音された音声に基づく音声データを制御部１０２へ出力する。スピーカ１１２は、制御部１０２から取得した音声データに基づいて音声を出力する。
【００４１】
操作部１１４は、テンキーやファンクションキーなどによって構成され、ユーザの操作内容を入力するために用いられるインタフェースである。
【００４２】
（１．２．２）無線端末の詳細構成
次に、無線端末１Ａの詳細構成、具体的には、制御部１０２の機能ブロック構成について説明する。図３は、制御部１０２の機能ブロック構成図である。図３に示すように、制御部１０２は、電力減少要求受信部２０２、電力増加要求・変調方式要求受信部２０４、変調クラス設定部２０８、チャネルコーディング部２１０及びマッピング部２１２を含む。
【００４３】
電力減少要求受信部２０２は、無線端末１Ａに対して非接続先無線基地局である無線基地局２Ｂや無線基地局２Ｃからの送信電力減少要求を受信する。
【００４４】
送信電力減少要求は、無線端末１Ａと無線基地局２Ａとの間における上り通信チャネル（無線端末１Ａから無線基地局２Ａへ向かう通信チャネル）での通信によって、無線基地局２Ｂにおける通信チャネル（無線基地局２Ｂと無線端末１Ｂとの間の通信チャネル）や、無線基地局２Ｃにおける通信チャネル（無線基地局２Ｃと無線端末１Ｃとの間の通信チャネル）に所定値以上の干渉電力が生じた場合に、無線基地局２Ｂや無線基地局２Ｃが、無線基地局２Ａにおける上り通信チャネルの送信電力を減少させて、更に干渉電力を減少させるために、無線端末１Ａに対して送信するものである。
【００４５】
更に、電力減少要求受信部２０２は、受信した送信電力減少要求を変調クラス設定部２０８へ出力する。
【００４６】
電力増加要求・変調方式要求受信部２０４は、接続先無線基地局である無線基地局２Ａからの送信電力増加要求や変調方式要求を受信する。
【００４７】
送信電力増加要求は、無線基地局２Ａにおける上り通信チャネルの通信品質が所定のレベル未満である場合に、無線基地局２Ａにおける上り通信チャネルの送信電力を増加させて、通信品質を向上させるために、無線基地局２Ａが、無線端末１Ａに対して送信するものである。
【００４８】
変調方式要求は、無線基地局２Ａにおける上り通信チャネルでの通信において、所定の変調方式が用いられるように、無線基地局２Ａが、無線端末１Ａに対して送信するものである。
【００４９】
更に、電力増加要求・変調方式要求受信部２０４は、受信した送信電力増加要求及び変調方式要求を変調クラス設定部２０８へ出力する。
【００５０】
変調クラス設定部２０８は、入力した送信電力減少要求、送信電力増加要求及び変調方式要求に基づいて、上り通信チャネルの送信電力及び変調方式を組み合わせた変調クラスを設定する（図１１で後述する）。更に、変調クラス設定部２０８は、設定した上り通信チャネルの変調クラスをマッピング部２１２へ出力する。
【００５１】
チャネルコーディング部２１０は、上り通信チャネルを用いて送信するデータを入力すると、当該データに誤り訂正用のＣＲＣ（Cyclic Redundancy Check）データを付加し、符号化する等のチャネルコーディング処理を行う。更に、チャネルコーディング部２１０は、チャネルコーディング処理後のデータをマッピング部２１２へ出力する。
【００５２】
マッピング部２１２は、変調クラス設定部２０８からの上り通信チャネルの変調クラスによって示される変調方式に応じて、チャネルコーディング部２１０からのデータを変調する。更に、マッピング部２１２は、変調後の信号である無線信号を、上り通信チャネルの変調クラスによって示される送信電力によって、上り通信チャネルを用いて無線基地局２Ａへ送信する。
【００５３】
（１．３）無線基地局の構成
次に、無線基地局２Ａ〜１Ｃの構成について、（１．３．１）無線基地局の概略構成、（１．３．２）無線基地局の詳細構成の順に説明する。但し、無線基地局２Ｂ及び無線基地局２Ｃの概略構成は無線基地局２Ａと同様であるため、無線基地局２Ｂ及び無線基地局２Ｃの概略構成についての説明は省略する。
【００５４】
（１．３．１）無線基地局の概略構成
図４は、無線基地局２Ａの概略構成図である。図４に示すように、無線基地局２Ａは、制御部１５２、記憶部１５３、Ｉ／Ｆ部１５４、無線通信部１５６及びアンテナ１５８を含む。
【００５５】
制御部１５２は、例えばＣＰＵによって構成され、無線基地局２Ａが具備する各種機能を制御する。記憶部１５３は、例えばメモリによって構成され、無線基地局２Ａにおける制御などに用いられる各種情報を記憶する。
【００５６】
Ｉ／Ｆ部１５４は、ルータ等を介してネットワークに存在するアクセスゲートウェイ等に接続される。
【００５７】
無線通信部１５６は、ＲＦ回路、ベースバンド回路等を含み、変調及び復調、符号化及び復号等を行い、アンテナ１５８を介して無線信号の送受信を行う。また、無線通信部１５６は、アンテナ１５８を介して参照信号等を送信する。
【００５８】
（１．３．２）無線基地局の詳細構成
次に、無線基地局２Ａ〜１Ｃの詳細構成、具体的には、制御部１５２の機能ブロック構成について説明する。図５は、無線基地局２Ａが無線端末１Ａに対して接続先無線基地局となる場合の当該無線基地局２Ａの制御部１５２の機能ブロック構成図である。なお、無線基地局２Ｂが無線端末１Ｂに対して接続先無線基地局となる場合の無線基地局２Ｂの制御部１５２と、無線基地局２Ｃが無線端末１Ｃに対して接続先無線基地局となる場合の無線基地局２Ｂの制御部１５２も、無線基地局２Ａの制御部１５２と同様であるので、その説明は省略する。
【００５９】
図５に示すように、制御部１５２は、ＣＱＩ測定部２５２、デマッピング部２５４、デコード部２５６、ＣＲＣチェック部２５８、送信電力・変調方式設定部２６０及びメッセージ送信部２６２を含む。
【００６０】
ＣＱＩ測定部２５２は、無線端末１Ａから上り通信チャネルを介して送信される無線信号を受信すると、上り通信チャネルのＣＱＩを測定する。更に、ＣＱＩ測定部２５２は、受信した無線信号をデマッピング部２５４へ出力するとともに、測定したＣＱＩを送信電力・変調方式設定部２６０へ出力する、
デマッピング部２５４は、ＣＱＩ測定部２５２からの無線信号を入力すると、当該無線信号を復調する。更に、デマッピング部２５４は、復調により得られたデータをデコード部２５６へ出力する。
【００６１】
デコード部２５６は、デマッピング部２５４からのデータを復号し、復号後のデータをＣＲＣチェック部２５８へ出力する。
【００６２】
ＣＲＣチェック部２５８は、デマッピング部２５４からのデータを入力し、当該データに含まれるＣＲＣデータに基づいて誤り検出を行う。更に、ＣＲＣチェック部２５８は、誤り検出の結果を送信電力・変調方式設定部２６０へ出力する。
【００６３】
送信電力・変調方式設定部２６０は、ＣＱＩ測定部２５２からのＣＱＩを入力し、ＣＲＣチェック部２５８からの誤り検出の結果を入力する。次に、送信電力・変調方式設定部２６０は、誤り検出の結果が、無線信号を正常に受信していないことを示している場合、ＣＱＩに基づいて、上り通信チャネルでの通信に用いられる送信電力及び変調方式を設定する。ここで、設定される送信電力は、直前に上り通信チャネルでの通信に用いられていた送信電力よりも大きい値である。更に、送信電力・変調方式設定部２６０は、設定した送信電力の値及び変調方式の情報をメッセージ送信部２６２へ出力する。
【００６４】
メッセージ送信部２６２は、送信電力・変調方式設定部２６０からの送信電力の値を含んだ送信電力増加要求と、送信電力・変調方式設定部２６０からの変調方式の情報を含んだ変調方式要求とを、下り通信チャネルを用いて無線端末１Ａへ送信する。
【００６５】
図６は、無線基地局２Ａが無線端末１Ｂや無線端末１Ｃに対して非接続先無線基地局となる場合の無線基地局２Ａの制御部１５２の機能ブロック構成図である。なお、無線基地局２Ｂが無線端末１Ａや無線端末１Ｃに対して非接続先無線基地局となる場合の無線基地局２Ｂの制御部１５２や、無線基地局２Ｃが無線端末１Ａや無線端末１Ｂに対して非接続先無線基地局となる場合の無線基地局２Ｃの制御部１５２も、無線基地局２Ａの制御部１５２と同様であるので、その説明は省略する。
【００６６】
図６に示すように、制御部１５２は、干渉電力測定部２７２、送信電力設定部２７４及びメッセージ送信部２７６を含む。
【００６７】
干渉電力測定部２７２は、無線端末１Ｂと無線基地局２Ｂとの間の上り通信チャネルでの通信によって、無線端末１Ａと無線基地局２Ａとの間の通信チャネルに生じる干渉電力を測定する。更に、干渉電力測定部２７２は、干渉電力の値を送信電力設定部２７４へ出力する。
【００６８】
送信電力設定部２７４は、干渉電力測定部２７２からの干渉電力の値が所定値以上である場合、当該干渉電力の値に基づいて、無線端末１Ｂと無線基地局２Ｂとの間の上り通信チャネルでの通信に用いられる送信電力を設定する。ここで、設定される送信電力は、直前に無線端末１Ｂと無線基地局２Ｂとの間の上り通信チャネルでの通信に用いられていた送信電力よりも小さい値である。更に、送信電力設定部２７４は、設定した送信電力の値をメッセージ送信部２７６へ出力する。
【００６９】
メッセージ送信部２７６は、送信電力設定部２７４からの送信電力の値を含んだ送信電力減少要求を無線端末１Ｂや無線端末１Ｃへ送信する。
【００７０】
なお、無線端末１Ｃ（無線端末１Ｂ）と無線基地局２Ｃ（無線基地局２Ｂ）との間の上り通信チャネルでの通信によって、無線端末１Ａと無線基地局２Ａとの間の通信チャネルに干渉電力が生じる場合も、干渉電力測定部２７２、送信電力設定部２７４及びメッセージ送信部２７６は、上述と同様の処理を行う。
【００７１】
（２）無線通信システムの動作
まず、無線端末が無線基地局に接続する際の動作を説明する。以下においては、無線端末１Ａに対して、無線基地局２Ａが接続先無線基地局となり、無線基地局２Ｂ及び無線基地局２Ｃが非接続先無線基地局となる場合を例に説明する。
【００７２】
図７は、無線通信システム１０において、無線端末１Ａが無線基地局２Ａに接続する際の動作を示すシーケンス図である。
【００７３】
ステップＳ１０１において、無線基地局２Ａは、参照信号を送信する。無線端末１Ａは、電源投入時やハンドオーバ時に、無線基地局２Ａからの参照信号を受信する。同様に、ステップＳ１０２において、無線基地局２Ｂ及び２Ｃは、参照信号を送信する。無線端末１Ａは、電源投入時やハンドオーバ時に、無線基地局２Ｂ及び２Ｃからの参照信号を受信する。
【００７４】
ステップＳ１０３において、無線端末１Ａは、受信した各参照信号の通信品質（例えば、ＣＱＩ）を測定する。ステップＳ１０４において、無線端末１Ａは、通信品質が最も高い参照信号の送信元の無線基地局を接続先無線基地局として決定する。ここでは、無線基地局２Ａが、無線端末１Ａに対する接続先無線基地局となる。
【００７５】
ステップＳ１０５において、無線端末１Ａは、接続先無線基地局である無線基地局２Ａに対して、位置登録要求を送信する。無線基地局２Ａは、無線端末１Ａからの位置登録要求を受信する。ステップＳ１０６において、無線基地局２Ａは、無線端末１Ａの位置登録を行う。
【００７６】
ステップＳ１０７において、無線基地局２Ａは、無線端末１Ａに対して通信チャネル（上り通信チャネル及び下り通信チャネル）を割り当てる。更に、ステップＳ１０８において、無線基地局２Ａは、割り当てられた通信チャネルの識別情報等を含む通信チャネル割り当て情報を、無線端末１Ａへ送信する。無線端末１Ａは、無線基地局２Ａからの通信チャネル割り当て情報を受信する。
【００７７】
ステップＳ１０９において、無線基地局２Ａは、送信電力の初期値の情報（初期送信電力情報）を無線端末１Ａへ送信する。無線端末１Ａは、無線基地局２Ａからの初期送信電力情報を受信する。
【００７８】
ステップＳ１１０において、無線端末１Ａは、受信した初期送信電力情報に基づいて、上り通信チャネルにおける初期送信電力を設定する。更に、ステップＳ１１１において、無線端末１Ａは、割り当てられた上り通信チャネルを用い、初期送信電力により無線信号を無線基地局２Ａへ送信する。無線基地局２Ａは、無線端末１Ａからの無線信号を受信する。
【００７９】
また、ステップＳ１１２に示すように、無線端末１Ａが送信する無線信号は、無線基地局２Ｂ及び２Ｃにおける通信チャネルの干渉信号となる場合がある。
【００８０】
次に、無線端末と無線基地局との上り通信チャネルでの通信時の動作を説明する。図８は、無線端末１Ａに対して接続先無線基地局となる無線基地局２Ａの動作を示すフローチャートである。
【００８１】
ステップＳ２０１において、無線基地局２Ａの制御部１５２は、無線端末１Ａからの無線信号を受信したか否かを判定する。無線信号が受信された場合、ステップＳ２０２において、制御部１５２内のＣＱＩ測定部２５２は、上り通信チャネルのＣＱＩを測定する。
【００８２】
ステップＳ２０３において、制御部１５２内のデマッピング部２５４は、無線信号を復調する。更に、デコード部２５６は、復調により得られたデータを復号する。
【００８３】
ステップＳ２０４において、ＣＲＣチェック部２５８は、復号により得られたデータに含まれるＣＲＣデータに基づいて誤り検出（ＣＲＣチェック）を行う。
【００８４】
ステップＳ２０５において、制御部１５２内の送信電力・変調方式設定部２６０は、ＣＲＣチェック部２５８における誤り検出の結果に基づいて、無線信号を正常に受信したか否かを判定する。具体的には、送信電力・変調方式設定部２６０は、ＣＲＣデータに基づく誤り訂正が不可能な場合には、無線信号が正常に受信されなかったと判定する。
【００８５】
無線信号が正常に受信された場合、ステップＳ２０６において、制御部１５２内のメッセージ送信部２６２は、無線端末１Ａからの無線信号を正常に受信したことを示す応答であるＡＣＫを、無線端末１Ａへ送信する。
【００８６】
一方、無線信号が正常に受信されなかった場合、ステップＳ２０７において、制御部１５２内の送信電力・変調方式設定部２６０は、正常に受信されなかった無線信号の再送回数が所定回に達したか否かを判定する。再送回数が所定回数に達した場合、ステップＳ２１０において、制御部１５２内の送信電力・変調方式設定部２６０は、再送回数が所定回に達した無線信号に対応するデータを破棄する。
【００８７】
一方、再送回数が所定回数に達していない場合、ステップＳ２０８において、制御部１５２内の送信電力・変調方式設定部２６０は、ＣＱＩ測定部２５２によって測定されたＣＱＩに基づいて、上り通信チャネルでの通信に用いられる送信電力及び変調方式を設定する。
【００８８】
ステップＳ２０９において、制御部１５２内のメッセージ送信部２６２は、送信電力・変調方式設定部２６０によって設定された送信電力の値を含む送信電力増加要求を生成するとともに、送信電力・変調方式設定部２６０によって設定された変調方式の情報を含む変調方式要求を生成する。更に、制御部１５２内のメッセージ送信部２６２は、送信電力増加要求及び変調方式要求を、無線信号の再送要求であるＮＡＣＫに含ませて、無線端末１Ａへ送信する。
【００８９】
図９は、無線端末１Ａに対して非接続先無線基地局となる無線基地局２Ｂの動作を示すフローチャートである。なお、無線端末１Ａに対して非接続先無線基地局となる無線基地局２Ｃも無線基地局２Ｂと同様の動作を行う。
【００９０】
ステップＳ２５１において、無線基地局２Ｂの制御部１５２は、無線端末１Ａからの干渉信号を受信したか否かを判定する。干渉信号が受信された場合、ステップＳ２５２において、制御部１５２内の干渉電力測定部２７２は、干渉電力を測定する。
【００９１】
ステップＳ２５３において、制御部１５２内の送信電力設定部２７４は、干渉電力の値が所定値以上であるか否かを判定する。干渉電力の値が所定値以上である場合、ステップＳ２５４において、制御部１５２内の送信電力設定部２７４は、干渉電力の値に基づいて、無線端末１Ａと無線基地局２Ａとの間の上り通信チャネルでの通信に用いられる送信電力を設定する。
【００９２】
ステップＳ２５５において、制御部１５２内のメッセージ送信部２７６は、送信電力設定部２７４によって設定された送信電力の値を含んだ送信電力減少要求を無線端末１Ａへ送信する。
【００９３】
図１０は、無線端末１Ａの動作を示すフローチャートである。
【００９４】
ステップＳ３０１において、制御部１０２内の電力増加要求・変調方式要求受信部２０４は、接続先無線基地局である無線基地局２ＡからのＮＡＣＫを受信したか否かを判定する。ＮＡＣＫが受信された場合、更に、ステップＳ３０２において、制御部１０２内の電力減少要求受信部２０２は、非接続先無線基地局である無線基地局２Ｂ及び無線基地局２Ｃの少なくとも何れかからの送信電力減少要求を受信したか否かを判定する。
【００９５】
送信電力減少要求が受信された場合、ステップＳ３０３において、制御部１０２内の変調クラス設定部２０８は、上り通信チャネルの送信電力及び変調方式の設定を開始する。
【００９６】
ステップＳ３０４において、制御部１０２内の変調クラス設定部２０８は、記憶部１０３に記憶された変調クラステーブルに基づいて、接続先無線基地局である無線基地局２Ａの要求する送信電力の値、すなわち、受信されたＮＡＣＫ内の送信電力増加要求に含まれる送信電力の値が、無線基地局２Ａの要求する変調方式に対応する送信電力の値のうち、最低の値であるか否かを判定する。
【００９７】
図１１は、記憶部１０３に記憶された変調クラステーブルを示す図である。図１１に示す変調クラステーブルにおいて、１から順に番号が付与された各変調クラスは、上り通信チャネルの送信電力の値と、当該送信電力の値の場合にＣＱＩが所要のレベル以上となる変調方式とを組み合わせて構成されている。
【００９８】
図１１に示す変調クラステーブルにおいて、送信電力値は、対応する変調クラスの番号が小さいほど、小さくなり、対応する変調クラスの番号が大きいほど、大きくなる。したがって、変調クラスの番号１に対応する送信電力Ａ（１）が最も小さく、変調クラスの番号Ｎ＋Ｍ＋Ｌに対応する送信電力Ａ（Ｎ＋Ｍ＋Ｌ）が最も大きい。
【００９９】
また、図１１に示す変調クラステーブルにおいて、変調方式は、対応する変調クラスの番号が小さい方から順に、ＱＰＳＫ、１６ＱＡＭ、６４ＱＡＭの３種類が存在する。上り通信チャネルに、これらＱＰＳＫ、１６ＱＡＭ、６４ＱＡＭの変調方式を用い、且つ、同一の送信電力で通信が行われる場合、ＣＱＩは、良好な順にＱＰＳＫ、１６ＱＡＭ、６４ＱＡＭとなる。すなわち、図１１の例では、対応する変調クラスの番号が小さい変調方式ほど、ＣＱＩが良好である。
【０１００】
図１１に示す変調クラステーブルが用いられる場合、ステップＳ３０４においては、制御部１０２内の変調クラス設定部２０８は、接続先無線基地局である無線基地局２Ａの要求する送信電力の値が、Ａ（１）、Ａ（Ｎ＋１）、Ａ（Ｎ＋Ｍ＋１）の何れかである場合、当該送信電力の値が、無線基地局２Ａの要求する変調方式に対応する送信電力の値のうち、最低の値であると判定する。
【０１０１】
再び、図１０に戻って説明する。接続先無線基地局である無線基地局２Ａの要求する送信電力の値が、無線基地局２Ａの要求する変調方式に対応する送信電力の値のうち、最低の値である場合、ステップＳ３０５において、制御部１０２内の変調クラス設定部２０８は、接続先無線基地局である無線基地局２Ａの要求する変調方式、すなわち、受信されたＮＡＣＫ内の変調方式要求に含まれる変調方式が、ＱＰＳＫであるか否かを判定する。
【０１０２】
接続先無線基地局である無線基地局２Ａの要求する変調方式がＱＰＳＫである場合、ステップＳ３０６において、制御部１０２内の変調クラス設定部２０８は、番号が１の変調クラス（変調クラス１）、すなわち、送信電力値がＡ（１）、変調方式がＱＰＳＫの変調クラスを設定する。
【０１０３】
一方、ステップＳ３０４において、接続先無線基地局である無線基地局２Ａの要求する送信電力の値が、無線基地局２Ａの要求する変調方式に対応する送信電力の値のうち、最低の値でないと判定された場合、又は、ステップＳ３０５において、接続先無線基地局である無線基地局２Ａの要求する変調方式が、ＱＰＳＫでないと判定された場合、ステップＳ３０７において、制御部１０２内の変調クラス設定部２０８は、複数の非接続先無線基地局（ここでは、無線基地局２Ｂ及び無線基地局２Ｃ）からの送信電力減少要求を受信したか否かを判定する。
【０１０４】
複数の非接続先無線基地局からの送信電力減少要求が受信された場合、ステップＳ３０８において、制御部１０２内の変調クラス設定部２０８は、各送信電力減少要求に含まれる送信電力値が異なるか否かを判定する。
【０１０５】
各送信電力減少要求に含まれる送信電力値が異なると判定された場合、ステップＳ３０９において、制御部１０２内の変調クラス設定部２０８は、各送信電力値の最低値又は平均値を選択する。
【０１０６】
一方、ステップＳ３０７において、複数の非接続先無線基地局からの送信電力減少要求を受信していない、すなわち、単一の非接続先無線基地局からの送信電力減少要求を受信したと判定された場合、ステップＳ３１０において、制御部１０２内の変調クラス設定部２０８は、単一の非接続先無線基地局からの送信電力減少要求に含まれる送信電力値を選択する。また、ステップＳ３０８において、各送信電力減少要求に含まれる送信電力値が同一であると判定された場合、ステップＳ３１０において、制御部１０２内の変調クラス設定部２０８は、その同一の送信電力値を選択する。
【０１０７】
ステップＳ３０９及びステップＳ３１０の何れかにおいて、送信電力値が選択された後、ステップＳ３１１において、制御部１０２内の変調クラス設定部２０８は、その選択された送信電力値（選択送信電力値）と、接続先無線基地局である無線基地局２Ａの要求する変調方式とに基づいて、上り通信チャネルの変調クラスを設定する。
【０１０８】
具体的には、制御部１０２内の変調クラス設定部２０８は、変調クラステーブルを参照し、選択送信電力値を有する変調クラスを抽出し、上り通信チャネルの変調クラスとして設定する。この際、選択送信電力値を有する変調クラスが存在しない場合には、制御部１０２内の変調クラス設定部２０８は、各変調クラスのうち、選択送信電力値よりも小さく、且つ、選択送信電力値に最も近い送信電力値を組み合わせた変調クラスを設定する。
【０１０９】
更に、制御部１０２内の変調クラス設定部２０８は、設定された変調クラスの有する変調方式が、接続先無線基地局である無線基地局２Ａの要求する変調方式と一致するか否かを判定する。
【０１１０】
設定された変調クラスの有する変調方式が、接続先無線基地局である無線基地局２Ａの要求する変調方式と一致する場合には、制御部１０２内の変調クラス設定部２０８は、設定した変調クラスを変更しない。
【０１１１】
一方、設定された変調クラスの有する変調方式が、接続先無線基地局である無線基地局２Ａの要求する変調方式と一致しない場合には、制御部１０２内の変調クラス設定部２０８は、以下の２通りの手法を採ることができる。
【０１１２】
第１の手法では、制御部１０２内の変調クラス設定部２０８は、設定した変調クラスを変更しない。一方、第２の手法では、接続先無線基地局である無線基地局２Ａの要求する変調方式のＣＱＩが、設定した変調クラスの有する変調方式のＣＱＩよりも良好である場合には、制御部１０２内の変調クラス設定部２０８は、接続先無線基地局である無線基地局２Ａの要求する変調方式を有する変調クラスのうち、最大の送信電力値を有する変調クラスに変更する。一方、接続先無線基地局である無線基地局２Ａの要求する変調方式のＣＱＩが、設定した変調クラスの有する変調方式のＣＱＩよりも劣化する場合には、制御部１０２内の変調クラス設定部２０８は、設定した変調クラスを変更しない。
【０１１３】
（３）作用・効果
このように、本発明の実施形態に係る無線通信システム１０によれば、無線端末１Ａと接続先無線基地局である無線基地局２Ａとの間で、上り通信チャネルでの通信が行われることにより、非接続先無線基地局である無線基地局２Ｂや無線基地局２Ｃにおける通信チャネルに所定値以上の干渉電力が生じる場合には、無線端末１Ａは、無線基地局２Ｂや無線基地局２Ｃからの上り通信チャネルについての送信電力減少要求を受信する。また、接続先無線基地局である無線基地局２Ａが無線端末１Ａからの無線信号を正常に受信することができなくなった場合には、無線端末１Ａは、無線基地局２Ａからの上り通信チャネルについての送信電力増加要求を受信する。
【０１１４】
上述のように、非接続先無線基地局である無線基地局２Ｂや無線基地局２Ｃと、接続先無線基地局である無線基地局２Ａとが、無線端末１Ａに対して上り通信チャネルの送信電力について矛盾する要求を行った場合、無線端末１Ａは、非接続先無線基地局である無線基地局２Ｂや無線基地局２Ｃからの送信電力減少要求に応じて、上り通信チャネルの送信電力を低くする。したがって、非接続先無線基地局である無線基地局２Ｂや無線基地局２Ｃにおける通信チャネルに生じる干渉電力が抑制される。
【０１１５】
但し、上り通信チャネルの送信電力が低くなると、接続先無線基地局である無線基地局２Ａからの送信電力増加要求に反することとなり、上り通信チャネルのＣＱＩが劣化し、無線基地局２Ａにおける無線信号の正常受信が更に困難となってしまう。このため、無線端末１Ａは、変調クラステーブルを参照して、低くなった送信電力と、当該送信電力に対応する変調方式、すなわち、上り通信チャネルの送信電力が低くなった場合においても、ＣＱＩが所要のレベル以上となる変調方式とを有する変調クラスを設定する。したがって、無線基地局２Ｂや無線基地局２Ｃにおける通信チャネルに生じる干渉電力が抑制されるとともに、接続先無線基地局である無線基地局２Ａにおける上り通信チャネルのＣＱＩの劣化が抑制される。
【０１１６】
また、本発明の実施形態に係る無線通信システム１０によれば、接続先無線基地局である無線基地局２Ａが変調方式要求を無線端末１Ａへ送信する場合において、当該変調方式要求に含まれる変調方式のＣＱＩが、設定した変調クラスの有する変調方式のＣＱＩよりも劣化する場合には、無線端末１Ａは、設定した変調クラスを変更しない。したがって、適切に上り通信チャネルの通信品質の劣化を抑制することが可能となる。
【０１１７】
（４）その他の実施形態
上記のように、本発明は実施形態によって記載したが、この開示の一部をなす論述及び図面はこの発明を限定するものであると理解すべきではない。この開示から当業者には様々な代替実施形態、実施例及び運用技術が明らかとなる。
【０１１８】
上述した実施形態では、無線端末１Ａの制御部１０２内の変調クラス設定部２０８は、接続先無線基地局である無線基地局２ＡからのＮＡＣＫを受信した場合には、直ちに変調クラスを設定した。これに対して、無線端末１Ａの制御部１０２内の変調クラス設定部２０８は、ＮＡＣＫに対応する再送対象の無線信号の送信時にのみ、上り通信チャネルの送信電力を増加させ、その後に、非接続先無線基地局である無線基地局２Ｂや無線基地局２Ｃからの送信電力減少要求に応じて、上り通信チャネルの送信電力を低くするようにしてもよい。
【０１１９】
また、上述した実施形態では、ＬＴＥを採用する無線通信システムについて説明したが、無線端末と無線基地局間との間で上り通信チャネルを用いた通信を行う無線通信システムであれば本発明を応用可能である。
【０１２０】
このように本発明は、ここでは記載していない様々な実施形態等を包含するということを理解すべきである。したがって、本発明はこの開示から妥当な特許請求の範囲の発明特定事項によってのみ限定されるものである。
【図面の簡単な説明】
【０１２１】
【図１】本発明の実施形態に係る無線通信システムの全体概略構成図である。
【図２】本発明の実施形態に係る無線端末の概略構成図である。
【図３】本発明の実施形態に係る、無線端末における制御部の機能ブロック構成図である。
【図４】本発明の実施形態に係る無線基地局の概略構成図である。
【図５】本発明の実施形態に係る、無線基地局における制御部の第１の機能ブロック構成図である。
【図６】本発明の実施形態に係る、無線基地局における制御部の第２の機能ブロック構成図である。
【図７】本発明の実施形態に係る無線通信システムの動作を示すシーケンス図である。
【図８】本発明の実施形態に係る接続先無線基地局の動作を示すフローチャートである。
【図９】本発明の実施形態に係る非接続先無線基地局の動作を示すフローチャートである。
【図１０】本発明の実施形態に係る無線端末の動作を示すフローチャートである。
【図１１】変調クラステーブルの一例を示す図である。
【符号の説明】
【０１２２】
１Ａ〜１Ｃ…無線端末、２Ａ〜２Ｃ…無線基地局、３Ａ〜３Ｃ…セル、１０…無線通信システム、１０２…制御部、１０３…記憶部、１０４…アンテナ、１０６…無線通信部、１０８…モニタ、１１０…マイク、１１２…スピーカ、１１４…操作部、１５２…制御部、１５３…記憶部、１５４…Ｉ／Ｆ部、１５６…無線通信部、１５８…アンテナ、２０２…電力減少要求受信部、２０４…電力増加要求・変調方式要求受信部、２０８…変調クラス設定部、２１０…チャネルコーディング部、２１２…マッピング部、２５２…ＣＱＩ測定部、２５４…デマッピング部、２５６…デコード部、２５８…ＣＲＣチェック部、２６０…送信電力・変調方式設定部、２６２…メッセージ送信部、２７２…干渉電力測定部、２７４…送信電力設定部、２７６…メッセージ送信部
【図１】
2010109456.tif 000003
【図２】
2010109456.tif 000004
【図３】
2010109456.tif 000005
【図４】
2010109456.tif 000006
【図５】
2010109456.tif 000007
【図６】
2010109456.tif 000008
【図７】
2010109456.tif 000009
【図８】
2010109456.tif 000010
【図９】
2010109456.tif 000011
【図１０】
2010109456.tif 000012
【図１１】
2010109456.tif 000013